(57)【要約】【目的】フィルター枠を形成する部材に強度と衝撃吸収機能を持たせ、カメラの使用中にレンズ鏡筒への衝撃を吸収するとともに、フィルターレンズを効果的に保護することができるフィルターを提供する。【構成】デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、レンズ保持部と外枠部からなるフィルター枠、またはフィルター枠のうち外枠部が金属粉またはガラス繊維を配合した合成樹脂で形成されていることを特徴とする。【選択図】図１
2019086626.tif 000002
【特許請求の範囲】
【請求項１】
デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、レンズ保持部と外枠部からなるフィルター枠が金属粉を配合した合成樹脂で一体に形成されていることを特徴とするフィルター。
【請求項２】
デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、外枠部が金属粉を配合した合成樹脂で形成され、外枠部はレンズ保持部の外周部に固着されていることを特徴とするフィルター。
【請求項３】
前記レンズ保持部と外枠部からなるフィルター枠がガラス繊維を配合した合成樹脂で一体に形成されていることを特徴とする請求項１に記載のフィルター。
【請求項４】
前記外枠部がガラス繊維を配合した合成樹脂で形成され、外枠部はレンズ保持部の外周部に固着されていることを特徴とする請求項２に記載のフィルター。
【発明の詳細な説明】
【技術分野】
【０００１】
本発明はデジタルカメラ、デジタルビデオカメラなどのレンズ鏡筒の前面に装着されるフィルターに関する。
【背景技術】
【０００２】
従来、デジタルカメラなどにおいては、レンズ前面に汚れやキズが生じるのを防止したり、光透過率を低減する（減光する）などの目的で、レンズ鏡筒の前面にフィルターが装着される。一般に、フィルターは、丸枠フィルターの場合には、円環状のフィルター枠に円板状のフィルターレンズを嵌合、固定して構成され、またはフィルター枠とフィルターレンズを接着剤などで固着一体として構成される。フィルター枠には、通常、内側（裏側）にレンズ鏡筒に装着するための雄ネジ部が形成され、外側（表側）には他の関連部品を装着するための雌ネジ部が形成されている。
【０００３】
通常、フィルターはフィルターレンズにアルミニウムなどの金属材料を成形加工して製作されたフィルター枠を取り付けて構成されているが、フィルターを装着したカメラを使用中にフィルターを何かにぶつけた場合、その衝撃が金属製フィルターを介してレンズ鏡筒に伝わり鏡筒の光軸を狂わせるなどの問題があり、この問題点を解決するために、合成樹脂を用いて製作されたフィルター枠が提案されている。
【０００４】
上記提案のものは、フィルターをぶつけた時の衝撃を吸収してレンズ鏡筒に衝撃が伝わらなくする点では有効な手法であるが、金属製フィルターに比べフィルター自体の強度が弱くなるため、カメラの使用中にフィルターレンズを保護するという点で必ずしも十分に満足すべきものではない。
【先行技術文献】
【特許文献】
【０００５】
【特許文献１】特許第５６１０６４１号公報
【発明の概要】
【発明が解決しようとする課題】
【０００６】
本発明は、フィルター枠における上記の問題を解消するためになされたものであり、その目的は、フィルター枠を形成する部材に強度と衝撃吸収機能を持たせ、カメラの使用中にレンズ鏡筒への衝撃を吸収するとともに、フィルターレンズを効果的に保護することができるフィルターを提供することにある。
【課題を解決するための手段】
【０００７】
上記の目的を達成するための請求項１によるフィルターは、デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、レンズ保持部と外枠部からなるフィルター枠が金属粉を配合した合成樹脂で一体に形成されていることを特徴とする。
【０００８】
請求項２によるフィルターは、デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、外枠部が金属粉を配合した合成樹脂で形成され、外枠部はレンズ保持部の外周部に固着されていることを特徴とする。
【０００９】
請求項３によるフィルターは、請求項１において、前記レンズ保持部と外枠部からなるフィルター枠がガラス繊維を配合した合成樹脂で一体に形成されていることを特徴とする。
【００１０】
請求項４によるフィルターは、請求項２において、前記外枠部がガラス繊維を配合した合成樹脂で形成され、外枠部はレンズ保持部の外周部に固着されていることを特徴とする。
【発明の効果】
【００１１】
本発明に従ってフィルター枠、またはフィルター枠のうち外枠部を金属粉またはガラス繊維を配合した合成樹脂で形成することにより以下の効果が達成される。  
（１）フィルターを装着したレンズの先端部分を何かにぶつけても、フィルターが衝撃を吸収するため、レンズを損傷することがない。
（２）フィルターを装着したレンズの先端部分が他人の器物、例えば、車のドアなどに当たっても、フィルターが衝撃を吸収するため、車を傷つけてしまうような器物損傷事故を防止できる。
（３）フィルターを装着したレンズの先端部分を何か硬いものにぶつけても、フィルターは高剛性をそなえ耐圧強度も大きいため、レンズに影響を与えることはなくレンズは十分に保護される。
【図面の簡単な説明】
【００１２】
【図１】レンズ保持部と外枠部が一体に形成された本発明によるフィルターの要部断面図である。
【図２】レンズ保持部と外枠部が別体として構成され、外枠部がレンズ保持部の外周部に固着されている本発明によるフィルターの要部断面図である。
【発明を実施するための形態】
【００１３】
以下、本発明のフィルターを図面に基づいて説明する。本発明によるフィルターはデジタルカメラ、デジタルビデオカメラなど撮像機器のレンズ鏡筒の前面に装着されるフィルターであり、特に円板状のフィルターレンズが取り付けられる丸枠フィルターとして好適に使用される。
【００１４】
本発明によるフィルターの実施形態は、図１に示すように、フィルターレンズ２とフィルターレンズ２を保持するフィルター枠１をそなえ、フィルター枠１はレンズ保持部３とレンズ保持部３の外方へ延伸する外枠部４からなり、レンズ保持部３にはレンズ鏡筒に装着するための雄ネジ部７が設けられ、外枠部４の内周部５には関連部品を装着するための雌ネジ部８が設けられたもので、レンズ保持部３と外枠部４は一体に構成されたものである。フィルターレンズ２はレンズ保持部３にリン青銅などから成形されたレンズ押さえばね環９を介して保持されていることが望ましい。
【００１５】
本発明によるフィルターの他の実施形態は、図２に示すように、フィルターレンズ２とフィルターレンズ２を保持するフィルター枠１をそなえ、フィルター枠１はレンズ保持部３とレンズ保持部３の外方へ延伸する外枠部４からなり、レンズ保持部３にはレンズ鏡筒に装着するための雄ネジ部７が設けられ、外枠部４の内周部には関連部品を装着するための雌ネジ部８が設けられたもので、レンズ保持部３と外枠部４は別体として構成され、外枠部４がレンズ保持部３の外周部に固着されたものである。９はリン青銅などからなるレンズ押さえばね環である。
【００１６】
本発明の最も特徴とするところは、レンズ保持部３と外枠部４からなるフィルター枠１（図１）、またはフィルター枠１のうち外枠部４（図２）を金属粉またはガラス繊維を配合した合成樹脂で形成したことにある。この構成により、フィルターを何かにぶつけてもレンズを損傷することがない衝撃吸収機能を有するとともに、レンズを十分に保護することができる高い剛性、耐圧強度もそなえたフィルターが得られる。
【００１７】
フィルター枠１のうち外枠部４のみを金属粉またはガラス繊維を配合した合成樹脂で形成する図２に示す実施形態においては、レンズ保持部３はアルミニウムなどの金属材料で形成してもよく、合成樹脂で形成することもできるが、合成樹脂で形成する場合は関連部品を装着するための雌ネジ部８が形成可能な硬質の合成樹脂を用いるのが望ましい。フィルター枠１全体を金属粉またはガラス繊維を配合した合成樹脂で形成する図１に示す実施形態においては、外枠部４に関連部品を装着するための雌ネジを切ることが十分に可能である。
【００１８】
金属粉を配合した合成樹脂で形成するフィルター枠１および外枠部４の製造については、合成樹脂として熱硬化性樹脂、熱可塑性樹脂に代表されエンジニアリングプラスチックなども含む合成樹脂が適用され、これらの合成樹脂に、例えば、粒径１０〜２００μｍの鉄、銅、アルミニウムなどの金属の粉末を、体積比率で２〜４０％配合した樹脂ペレットを射出成型機でチューブ状に押出成形し、フィルター枠および外枠部の形状に成形加工する。合成樹脂の種類、金属粉の粒径、配合量は製造されるフィルター枠、外枠部の衝撃吸収機能、剛性、耐圧強度などを考慮して選定される。
【００１９】
また、ガラス繊維を配合した合成樹脂で形成するフィルター枠１および外枠部４については、上記の合成樹脂に細かく切断したガラス繊維を公知の手法により均一に混入したものを使用するのが望ましく、ガラス繊維の含有率は重量比で５〜２０％程度とするのが好ましく、合成樹脂の種類、ガラス繊維の配合量は製造されるフィルター枠、外枠部の衝撃吸収機能、剛性、耐圧強度などを考慮して選定される。
【００２０】
上記のように成形加工された外枠部４は、図２に示すように、公知の手法によりアルミニウムなどの金属製のレンズ保持枠３または合成樹脂製のレンズ保持枠３に嵌合、固着される。また、図２に示す実施形態において、レンズ保持枠３を合成樹脂で形成する場合には、合成樹脂層と金属粉またはガラス繊維を配合した合成樹脂層からなる２層構造のものを射出成型機によりチューブ状に同時押出成形し、図２の形状に成形加工することによりフィルター枠１を製造することもできる。
【００２１】
本発明においてフィルター枠１および外枠部４の製造に適用する合成樹脂としては、硬さがロックウエル硬度（ＨＲ）でＲ４０〜Ｒ１３０のものを用いるのが望ましい。ロックウエル硬度（ＨＲ）は、鋼球などの圧子を特定の荷重で押し込むことにより硬さを測定する手法で、Ｒスケールは、１／２インチの鋼球を６０ｋｇの試験荷重で押し込み、窪みの深さを読み取って求めるものである。硬度が小さいとフィルターの強度が低くレンズの保護が不十分となり、硬度が大きくなると衝撃吸収機能が失われる。
【符号の説明】
【００２２】
１  フィルター枠
２  フィルターレンズ
３  レンズ保持部
４  外枠部
５  外枠部の内周部
６  外枠部の外周部
７  レンズ保持部に形成されたレンズ鏡筒に装着するための雄ネジ部
８  外枠部に形成された他の関連部品を装着するための雌ネジ部
９  レンズ押さえばね環
【図１】
2019086626.tif 000003
【図２】
2019086626.tif 000004